(57)【要約】【課題】建物内のスペースの有効利用を図りつつ、蓄電池の性能を良好に維持する。【解決手段】建物ユニット２２が隣接する境界部２４はデッドスペースとされるが、このデッドスペースが蓄電池４２を収納する蓄電池収納室１６とされている。蓄電池収納室１６は床下給気口５０を介して床下スペース５２と連通されており、床下給気口５０は床下切換ダンパ６２によって開閉される。また、床下給気口５０には床下給気ファン５４が配設されている。また、蓄電池収納室１６は、間仕切り壁４０の下端部に形成された室内給気口６８を介して室内７０と連通されている。室内給気口６８は室内切換ダンパ７２によって開閉される。さらに、蓄電池収納室１６内には収納室温度検出センサ７８が配設されており、天井には排気口４４が形成されている。床下切換ダンパ７２及び室内切換ダンパ７２は蓄電池収納室内温度に基づいて開閉制御されている。【選択図】図１
2010163849.tif 000002
【特許請求の範囲】
【請求項１】
建物高さ方向に沿って形成されると共に蓄電池が収納可能とされた収納室と、
この収納室と天井裏スペースとを連通する排気口と、
収納室と床下スペースとを連通する第１給気口と、
この第１給気口を開閉する第１開閉手段と、
収納室と室内とを連通する第２給気口と、
この第２給気口を開閉する第２開閉手段と、
収納室内の温度を検出する収納室温度検出手段と、
この収納室温度検出手段によって検出された収納室内温度が第１の所定温度より大きく第２の所定温度より小さい中温域の場合には、第１開閉手段を開放状態にすると共に第２開閉手段を閉止状態とし、収納室内温度が第１の所定温度以下の低温域になった場合には第１開閉手段を閉止状態にすると共に第２開閉手段を開放状態にする制御手段と、
を有する蓄電池収納室。
【請求項２】
前記第１給気口又はその近傍に設けられると共に前記制御手段によってその作動が制御され、作動することにより前記床下スペース内の空気を前記収納室内へ流入させる給気口側ファンを備えており、
前記収納室内温度が前記第２の所定温度以上の高温域になった場合には、前記制御手段によって給気口側ファンが強制的に作動される、
ことを特徴とする請求項１記載の蓄電池収納室。
【請求項３】
前記排気口又はその近傍に設けられると共に前記制御手段によってその作動が制御され、作動することにより前記収納室内の空気を前記天井裏スペースへ流入させる排気口側ファンを備えており、
前記収納室内温度が前記第２の所定温度以上の高温域になった場合には、前記制御手段によって排気口側ファンが強制的に作動される、
ことを特徴とする請求項１記載の蓄電池収納室。
【請求項４】
室内の温度を検出する室内温度検出手段及び床下スペース内の温度を検出する床下温度検出手段を備えており、
前記制御手段は、前記収納室内温度が前記第１の所定温度以下でかつ前記室内温度検出手段によって検出された室内温度が前記床下温度検出手段によって検出された床下温度以上の場合に、前記第１開閉手段を閉止状態にすると共に前記第２開閉手段を開放状態にする、
ことを特徴とする請求項１記載の蓄電池収納室。
【請求項５】
前記収納室と土間とを連通する第３給気口と、
この第３給気口を開閉する第３開閉手段と、を備えており、
前記制御手段は、収納室温度検出手段によって検出された収納室内温度が第１の所定温度より大きく第２の所定温度より小さい中温域の場合には、第１開閉手段を開放状態にすると共に第３開閉手段を閉止状態とし、収納室内温度が第１の所定温度以下の低温域になった場合には第１開閉手段を閉止状態にすると共に第３開閉手段を開放状態にする、
ことを特徴とする請求項１記載の蓄電池収納室。
【請求項６】
前記収納室は、柱が２本以上集まった柱集合部に隣接して設けられ、かつ天井と床と壁に囲まれた柱横スペースである、
ことを特徴とする請求項１〜請求項５のいずれか１項に記載の蓄電池収納室。
【請求項７】
前記収納室は、複数階建ての建物の複数階に亘って形成されている、
ことを特徴とする請求項１〜請求項６のいずれか１項に記載の蓄電池収納室。
【請求項８】
前記収納室には、蓄電池を収納可能な複数段の棚部を備えた収納棚が蓄電池取出し方向に前記壁が対面するように設置されており、
前記壁には棚の高さに対応して室内側から蓄電池を取り出すための取出し口が設けられている、
ことを特徴とする請求項６記載の蓄電池収納室。
【請求項９】
前記収納棚は、可動式のラックで構成されている、
ことを特徴とする請求項８記載の蓄電池収納室。
【請求項１０】
四隅に柱を備えた建物ユニットを複数個隣接して配置し相互に連結した場合に形成される柱集合部の側方に請求項６〜請求項９のいずれか１項に記載された柱横スペースが形成されている、
ことを特徴とするユニット建物。
【発明の詳細な説明】
【技術分野】
【０００１】
本発明は、蓄電池収納室及びこれを備えたユニット建物に関する。
【背景技術】
【０００２】
下記特許文献１には、住宅用の電力蓄蔵システムにおいて、外壁パネルにおける外面パネルと内面パネルとの間の空間（デッドスペース）に、薄型の蓄電池を収納させた技術が開示されている。さらに、この技術では、蓄電池を収納する外壁パネルの内部スペースと屋根裏スペースとが天井梁に隣接して設けた隙間を介して相互に連通されていると共に、外壁パネルの内部スペースと床下スペースとが土台に隣接して設けた隙間を介して相互に連通されている。
【先行技術文献】
【特許文献】
【０００３】
【特許文献１】特開２０００−３２８７９７号公報
【特許文献２】特開２０００−３３３３７０号公報
【特許文献３】特開２０００−３２３１１３号公報
【発明の概要】
【発明が解決しようとする課題】
【０００４】
しかしながら、上記特許文献１に開示された先行技術による場合、蓄電池を適切な温度環境で保持することができないという課題がある。
【０００５】
すなわち、外壁パネルの内部スペースに蓄電池を収納させた場合、外部からの日射等により蓄電池の収納スペースが高温になったり、或いは降雪時に積雪した雪等によって蓄電池の収納スペースが低温になったりするが、上記先行技術による場合、天井裏スペース及び床下スペースとの自然換気による温度調節しかできないので、蓄電池の性能を低下させる可能性がある。特に排気側となる天井裏スペース側の空気の温度調節はあまり問題ではないが、給気側となる床下スペース内の空気の温度調節は蓄電池に直接影響を与えるので、一意的な流路しか確保されない場合は温度調節しようにもなかなか難しい面がある。従って、上記先行技術は、この観点から、改良の余地がある。
【０００６】
本発明は上記事実を考慮し、建物内のスペースの有効利用を図りつつ、蓄電池の性能を良好に維持することができる蓄電池収納室及びこれを備えたユニット建物を得ることが目的である。
【課題を解決するための手段】
【０００７】
請求項１の発明に係る蓄電池収納室は、建物高さ方向に沿って形成されると共に蓄電池が収納可能とされた収納室と、この収納室と天井裏スペースとを連通する排気口と、収納室と床下スペースとを連通する第１給気口と、この第１給気口を開閉する第１開閉手段と、収納室と室内とを連通する第２給気口と、この第２給気口を開閉する第２開閉手段と、収納室内の温度を検出する収納室温度検出手段と、この収納室温度検出手段によって検出された収納室内温度が第１の所定温度より大きく第２の所定温度より小さい中温域の場合には、第１開閉手段を開放状態にすると共に第２開閉手段を閉止状態とし、収納室内温度が第１の所定温度以下の低温域になった場合には第１開閉手段を閉止状態にすると共に第２開閉手段を開放状態にする制御手段と、を有している。
【０００８】
請求項２の発明に係る蓄電池収納室は、請求項１記載の発明において、前記第１給気口又はその近傍に設けられると共に前記制御手段によってその作動が制御され、作動することにより前記床下スペース内の空気を前記収納室内へ流入させる給気口側ファンを備えており、前記収納室内温度が前記第２の所定温度以上の高温域になった場合には、前記制御手段によって給気口側ファンが強制的に作動される、ことを特徴としている。
【０００９】
請求項３の発明に係る蓄電池収納室は、請求項１記載の発明において、前記排気口又はその近傍に設けられると共に前記制御手段によってその作動が制御され、作動することにより前記収納室内の空気を前記天井裏スペースへ流入させる排気口側ファンを備えており、前記収納室内温度が前記第２の所定温度以上の高温域になった場合には、前記制御手段によって排気口側ファンが強制的に作動される、ことを特徴としている。
【００１０】
請求項４の発明に係る蓄電池収納室は、請求項１記載の発明において、室内の温度を検出する室内温度検出手段及び床下スペース内の温度を検出する床下温度検出手段を備えており、前記制御手段は、前記収納室内温度が前記第１の所定温度以下でかつ前記室内温度検出手段によって検出された室内温度が前記床下温度検出手段によって検出された床下温度以上の場合に、前記第１開閉手段を閉止状態にすると共に前記第２開閉手段を開放状態にする、ことを特徴としている。
【００１１】
請求項５の発明に係る蓄電池収納室は、請求項１記載の発明において、前記収納室と土間とを連通する第３給気口と、この第３給気口を開閉する第３開閉手段と、を備えており、前記制御手段は、収納室温度検出手段によって検出された収納室内温度が第１の所定温度より大きく第２の所定温度より小さい中温域の場合には、第１開閉手段を開放状態にすると共に第３開閉手段を閉止状態とし、収納室内温度が第１の所定温度以下の低温域になった場合には第１開閉手段を閉止状態にすると共に第３開閉手段を開放状態にする、ことを特徴としている。
【００１２】
請求項６の発明に係る蓄電池収納室は、請求項１〜請求項５のいずれか１項に記載の発明において、前記収納室は、柱が２本以上集まった柱集合部に隣接して設けられ、かつ天井と床と壁に囲まれた柱横スペースである、ことを特徴としている。
【００１３】
請求項７の発明に係る蓄電池収納室は、請求項１〜請求項６のいずれか１項に記載の発明において、前記収納室は、複数階建ての建物の複数階に亘って形成されている、ことを特徴としている。
【００１４】
請求項８の発明に係る蓄電池収納室は、請求項６記載の発明において、前記収納室には、蓄電池を収納可能な複数段の棚部を備えた収納棚が蓄電池取出し方向に前記壁が対面するように設置されており、前記壁には棚の高さに対応して室内側から蓄電池を取り出すための取出し口が設けられている、ことを特徴としている。
【００１５】
請求項９の発明に係る蓄電池収納室は、請求項８記載の発明において、前記収納棚は、可動式のラックで構成されている、ことを特徴としている。
【００１６】
請求項１０の発明に係るユニット建物は、四隅に柱を備えた建物ユニットを複数個隣接して配置し相互に連結した場合に形成される柱集合部の側方に請求項６〜請求項９のいずれか１項に記載された柱横スペースが形成されている、ことを特徴としている。
【００１７】
請求項１記載の本発明によれば、建物高さ方向に沿って収納室が形成されており、この収納室内に蓄電池が収納される。一般に、建物高さ方向に沿った狭いスペースは使い勝手が悪いので、有効に利用されずデッドスペースになることが多い。しかし、このようなスペースでも蓄電池の収納室として用いることにより、建物内のスペースの有効利用を図ることができる。
【００１８】
ここで、収納室内の気温である収納室内温度は、収納室温度検出手段によって検出されており、この収納室内温度が第１の所定温度よりも大きく第２の所定温度よりも小さい中音域の場合には、第１開閉手段が開放状態とされると共に第２開閉手段が閉止状態とされる。これにより、収納室と床下スペースとが第１給気口を介して相互に連通されると共に収納室と室内との空気の流通が遮断される。このため、中温域の場合には、床下スペースから温度変化が少なく比較的気温が低い空気が収納室内へ取り込まれ、収納室内に収納された蓄電池が冷却される。その結果、収納室内に収納された蓄電池の性能は良好に維持される。なお、蓄電池と熱交換して温度が上がった収納室内の空気は、排気口から天井裏スペース内へ排気される。
【００１９】
一方、収納室温度検出手段によって検出された収納室内温度が第１の所定温度以下の低温域になった場合には、第１開閉手段が閉止状態とされると共に第２開閉手段が開放状態とされる。これにより、収納室と室内とが相互に連通されると共に収納室と床下スペースとの空気の流通が遮断される。このため、低温域の場合には、更に低温の床下スペース内の冷たい空気の流入が阻止されると共に、室内の暖かい空気が収納室内に取り込まれ、収納室内に収納された蓄電池が暖められる。その結果、収納室内に収納された蓄電池の性能は良好に維持される。なお、蓄電池と熱交換して温度が下がった収納室内の空気は、排気口から天井裏スペース内へ排気される。
【００２０】
このように収納室内の温度が中温域か低温域かで、給気流路が切り替えられるので、夏季や冬季にも蓄電池の性能を良好に保つことができる。
【００２１】
請求項２記載の本発明によれば、第１給気口又はその近傍には給気口側ファンが設けられており、収納室内温度が第２の所定温度以上の高温域になった場合には制御手段によって給気口側ファンが強制的に作動される。このため、自然換気の場合よりも迅速に収納室内の温度変化に対応することができる。
【００２２】
請求項３記載の本発明によれば、排気口又はその近傍には排気口側ファンが設けられており、収納室内温度が第２の所定温度以上の高温域になった場合には制御手段によって排気口側ファンが強制的に作動される。このため、自然換気の場合よりも迅速に収納室内の温度変化に対応することができる。
【００２３】
請求項４記載の本発明によれば、室内の温度を検出する室内温度検出手段及び床下スペース内の温度を検出する床下温度検出手段を備えており、収納室内温度が第１の所定温度以下でかつ室内温度検出手段によって検出された室内温度が床下温度検出手段によって検出された床下温度以上の場合に、制御手段によって第１開閉手段が閉止状態とされると共に第２開閉手段が開放状態とされる。すなわち、本発明では、室内の温度も加味して第２開閉手段の開閉制御がなされる。このため、冬季等において室内が暖房等により充分に暖められているような場合には、蓄電池収納室内温度よりも相対的に温度が高い室内の空気を蓄電池収納室内に取り込むことにより、蓄電池収納室内の空気を暖めて蓄電池の性能を維持することができる。
【００２４】
請求項５記載の本発明によれば、収納室と土間との間に第３給気口が設けられており、土間も含めて空気の流通が制御される。このため、暖気の取り込み可能な量が増えるので、冬季等に蓄電池を迅速に暖めるといったことが可能になる。
【００２５】
請求項６記載の本発明によれば、収納室は、柱が２本以上集まった柱集合部に隣接して設けられ、かつ天井と床と壁に囲まれた柱横スペースであるので、強度が高く重量物である蓄電池の収納に適している。
【００２６】
請求項７記載の本発明によれば、複数階建ての建物の複数階に亘って形成されているので、蓄電池の収納量を充分に確保できる。
【００２７】
請求項８記載の本発明によれば、蓄電池収納室には収納棚が設置されている。そして、この収納棚の蓄電池取出し方向に壁が対面して配置されていると共に、壁には取出し口が設けられているので、蓄電池を交換等する際には、室内側から取出し口を開けて蓄電池を取り出すことができる。
【００２８】
請求項９記載の本発明によれば、収納棚は可動式のラックで構成されているため、柱横スペースに出し入れするのが容易である。
【００２９】
請求項１０記載の本発明によれば、建物ユニットを隣接して配置し相互に連結した建物における柱集合部の側方に柱横スペースが形成されており、この柱横スペースに蓄電池収納室が形成される。
【発明の効果】
【００３０】
以上説明したように、請求項１記載の蓄電池収納室は、建物内のスペースの有効利用を図りつつ、蓄電池の性能を良好に維持することができるという優れた効果を有する。
【００３１】
請求項２記載の本発明に係る蓄電池収納室は、収納室内の急激な温度変化に迅速に対応することができるという優れた効果を有する。
【００３２】
請求項３記載の本発明に係る蓄電池収納室は、収納室内の急激な温度変化に迅速に対応することができるという優れた効果を有する。
【００３３】
請求項４記載の本発明に係る蓄電池収納室は、室内の暖気を収納室内に取り込むことにより収納室内に収納された蓄電池が過度に冷却されるのを防止することができるという優れた効果を有する。
【００３４】
請求項５記載の本発明に係る蓄電池収納室は、冬季等、収納室が低温になる場合における蓄電池の性能維持に対する確度を高めることができるという優れた効果を有する。
【００３５】
請求項６記載の本発明に係る蓄電池収納室は、建物内のデッドスペースを有効に利用することができるという優れた効果を有する。
【００３６】
請求項７記載の本発明に係る蓄電池収納室は、蓄電池に対する将来の需要が増大しても改装等することなく対応することができるという優れた効果を有する。
【００３７】
請求項８記載の本発明に係る蓄電池収納室は、室内側から蓄電池を取り出すことができ、メンテナンス時の作業性を向上させることができるという優れた効果を有する。
【００３８】
請求項９記載の本発明に係る蓄電池収納室は、蓄電池の収納作業が容易になるという優れた効果を有する。
【００３９】
請求項１０記載の本発明に係るユニット建物は、ユニット建物内のデッドスペースを有効に利用することができるという優れた効果を有する。
【図面の簡単な説明】
【００４０】
【図１】第１実施形態に係る蓄電池収納室の夏季の使用状態を示す図３のＡ−Ａ線に沿った縦断面図である。
【図２】第１実施形態に係る蓄電池収納室の冬季の使用状態を示す図３のＡ−Ａ線に沿った縦断面図である。
【図３】第１実施形態に係るユニット建物の概略平断面図である。
【図４】図１に示される排気口の変形例を示す要部拡大断面図である。
【図５】第１実施形態に係る蓄電池収納室で行われる温度制御を実行するための制御ブロック図である。
【図６】第２実施形態に係る蓄電池収納室の設置例を示す間取り図である。
【図７】図６に示される蓄電池収納室内に蓄電池を収納したラックと開閉扉の関係を示す斜視図（図６のＸ線矢視部の拡大斜視図）である。
【図８】図６に示される蓄電池収納室に収容されるラックの正面図である。
【図９】図８に示されるラックの棚板部分の構成を示す斜視図である。
【発明を実施するための形態】
【００４１】
〔第１実施形態〕
【００４２】
まず、図１〜図５を用いて、本発明に係る蓄電池収納室及びこれを備えたユニット建物の第１実施形態について説明する。
【００４３】
図３には、本実施形態に係るユニット建物１０の概略平断面図が示されている。この図に示されるように、ユニット建物１０は、一例として平面視で矩形枠状に組まれた外壁１２を備えている。外壁１２の内側が屋内空間１４であり、この屋内空間１４の略中央部や外壁１２の内側部分に形成されたデッドスペースを利用して蓄電池収納室１６、１８、２０が設けられている。
【００４４】
図１及び図２には、上記蓄電池収納室１６、１８、２０のうち、屋内空間１４の略中央部に設置された蓄電池収納室１６の縦断面図が示されている。以下、この蓄電池収納室１６を例にして説明するが、他の蓄電池収納室１８、２０についても同様に構成されている。
【００４５】
図１は蓄電池収納室１６の夏季の使用状態を示したものであり、図２は蓄電池収納室１６の冬季の使用状態を示したものである。これらの図に示されるように、蓄電池収納室１６は、隣接する建物ユニット２２の境界部２４に設けられている。各建物ユニット２２は、箱形ユニットとされており、四隅に立設された図示しない柱と、柱の上端部同士を連結する天井パネル２８と、柱の下端部同士を連結する床パネル３０と、を含んで構成されている。
【００４６】
天井パネル２８は、溝型鋼で構成された長短二種類の天井大梁３２と、長辺側の天井大梁間に架け渡された天井小梁と、天井小梁の下面側に取り付けられた天井面材３４と、を含んで構成されている。
【００４７】
同様に、床パネル３０は、溝型鋼で構成された長短二種類の床大梁３６と、長辺側の床大梁間に架け渡された床小梁と、床小梁の下面側に取り付けられた天井面材３４と、を含んで構成されている。
【００４８】
また、天井面材３４から床面材３８に亘って間仕切り壁４０が設けられている。このうち、一方の間仕切り壁４０には、点検扉４１が設けられている。
【００４９】
そして、隣接する建物ユニット２２の境界部２４は、隣接する建物ユニット２２の間仕切り壁４０同士の間にデッドスペースとして形成された部分であり、この部分を蓄電池収納室１６としている。
【００５０】
蓄電池収納室１６には、建物用蓄電システムで使用する蓄電池４２が収納されている。蓄電池４２としては、例えば、鉛蓄電池、ニッケル水素蓄電池、リチウムイオン蓄電池といった蓄電池が適用可能であるが、ニッケルカドミウム蓄電池等の他の蓄電池であってもよい。
【００５１】
ここで、建物用蓄電システムについて概説すると、建物用蓄電システムでは、蓄電池４２が商用電力系統から受電することにより、或いは図示しない太陽電池等の独立電源から受電することにより、或いは燃料電池の余剰電力等から受電することにより、蓄電される。蓄電した電力は必要に応じてユニット建物１０で使用するエアコン、照明装置、プラグインハイブリッド車、自然冷媒ヒートポンプ給湯器等の負荷に給電される。つまり、この建物用蓄電システムは、蓄電池４２を使い、ユニット建物１０で使用する電気を蓄電及び給電する省エネ技術の一種である。例えば、この建物用蓄電システムを用いた場合、昼間はソーラーシステムで得られた電力等を蓄電池４２に蓄えると共に夜間は料金が安い深夜電力を蓄電池４２に蓄え、昼間の料金が高い時間帯に蓄電池４２で蓄電した電力を放電して利用するといった使い方ができる。
【００５２】
上述した蓄電池収納室１６の天井には排気口４４が形成されており、この排気口４４を介して蓄電池収納室１６と天井裏スペース（小屋裏になる場合は小屋裏スペース）４６とが相互に連通されている。この排気口４４は、建物ユニット２２を隣接して配置した場合に元々形成される開口を利用したものであり、図１に示されるように開放したままでもよいが、図４に示されるように通気ガラリ４８を配設してもよい。
【００５３】
一方、蓄電池収納室１６の床には第１給気口としての床下給気口５０が形成されており、この床下給気口５０を介して蓄電池収納室１６と床下スペース５２とが相互に連通されている。この床下給気口５０は、建物ユニット２２を隣接して配置した場合に元々形成される開口を利用したものである。
【００５４】
床下給気口５０には、給気口側ファンとしての床下給気ファン５４が配設されている。床下給気ファン５４は床下給気ファンモータ５６（図５参照）が駆動することにより回転して床下スペース５２内の空気を蓄電池収納室１６へ吸引して供給するようになっている。床下給気ファンモータ５６は、制御手段としてのコントローラ５８（図５参照）によってその作動が制御されている。なお、図１及び図２に示される構成では、床下給気口５０側に床下給気ファン５４を設けたが、これに限らず、排気口４４側に天井排気ファン６０（図１の仮想線参照）を設けてもよい。
【００５５】
また、床下給気口５０には、第１開閉手段としての床下切換ダンパ６２が配設されている。床下切換ダンパ６２は、床下給気口５０の下縁近傍に配設された支軸６４回りに回動可能とされている。この床下切換ダンパ６２はモータ６６（図５参照）の駆動力を受けて回動するようになっている。モータ６６はコントローラ５８（図５参照）によってその作動が制御されている。
【００５６】
また、隣接する建物ユニット２２の一方の間仕切り壁４０の下端部には、第２給気口としての室内給気口６８が形成されており、この室内給気口６８を介して蓄電池収納室１６と室内７０とが相互に連通されている。室内給気口６８には、第２開閉手段としての室内切換ダンパ７２が配設されている。室内切換ダンパ７２は、室内給気口６８の上縁近傍に配設された支軸７４回りに回動可能とされている。この室内切換ダンパ７２はモータ７６（図５参照）の駆動力を受けて回動するようになっている。モータ７６はコントローラ５８（図５参照）によってその作動が制御されている。
【００５７】
さらに、上述した蓄電池収納室１６の上部には、蓄電池収納室１６内の温度を検出する収納室温度検出手段としての収納室温度検出センサ７８が配設されている。収納室温度検出センサ７８はコントローラ５８（図５参照）に接続されており、その検出結果を常時コントローラ５８に出力している。
【００５８】
また、室内７０における室内給気口６８の近傍には、室内の温度を検出する室内温度検出手段としての室内温度検出センサ８０が配設されている。室内温度検出センサ８０はコントローラ５８（図５参照）に接続されており、その検出結果を常時コントローラ５８に出力している。
【００５９】
さらに、床下スペース５２における床下給気口５０の近傍には、床下スペース５２内の温度を検出する床下温度検出センサ８２が配設されている。床下温度検出センサ８２はコントローラ５８（図５参照）に接続されており、その検出結果を常時コントローラ５８に出力している。
【００６０】
（作用・効果）
次に、本実施形態の作用並びに効果について説明する。
【００６１】
本実施形態では、ユニット建物１０の屋内空間１４に形成されたデッドスペースを利用して蓄電池収納室１６、１８、２０が設けられており、この蓄電池収納室１６、１８、２０内に蓄電池４２が収納される。ところで、一般に、建物高さ方向に沿った狭いスペースは使い勝手が悪いので、有効に利用されずデッドスペースになることが多い。しかし、このような狭くて使い勝手の悪いスペースであっても、蓄電池４２を収納するための蓄電池収納室１６、１８、２０として用いることにより、ユニット建物１０内のスペースの有効利用を図ることができる。
【００６２】
ここで、下記表１に基づいて、上記蓄電池収納室１６、１８、２０内の温度制御について説明する。
【００６３】
【表１】
2010163849.tif 000003
本実施形態では、収納室温度検出センサ７８、床下温度検出センサ８２及び室内温度検出センサ８０によって、蓄電池収納室１６内の気温である蓄電池収納室内温度ｔ１、床下スペース５２内の気温である床下温度ｔ２、室内７０の気温である室内温度ｔ３がそれぞれ検出されて、コントローラ５８に出力されている。コントローラ５８では、これらの検出結果ｔ１、ｔ２、ｔ３に基づいて、床下切換ダンパ６２及び室内切換ダンパ７２の切換制御及び床下給気ファン５４の作動制御が行われている。
【００６４】
≪ｔ１≧３０℃の場合≫
今仮に、蓄電池収納室１６内の蓄電池収納室内温度ｔ１が３０℃以上であった場合（高温域の場合）には、基本的には図１に示される夏季のモードとされ、パターン１〜パターン５までに区分けされて制御がなされる。
【００６５】
具体的には、蓄電池収納室内温度ｔ１が３０℃以上でかつ床下温度ｔ２が蓄電池収納室内温度ｔ１以上の場合には、蓄電池収納室１６内の温度が高過ぎかつ床下スペース５２内の温度がこれよりも更に高いということになる。このような場合には、床下スペース５２内から給気しても蓄電池収納室１６内の温度を下げることはできないので、コントローラ５８によって床下切換ダンパ６２が閉止状態とされる。
【００６６】
そして、上記場合を更にパターン１〜パターン３に分類して、室内温度ｔ３がそのときの床下温度ｔ２以上であれば、室内７０の温度は床下スペース５２内の温度よりも更に高いということになるので、コントローラ５８によって室内切換ダンパ７２が閉止状態とされる（パターン１）。
【００６７】
また、室内温度ｔ３が床下温度ｔ２よりも低いが依然として蓄電池収納室１６内の温度ｔ１よりも高い場合は、室内７０から給気してもやはり蓄電池収納室１６の温度を下げることはできないので、床下切換ダンパ６２及び室内切換ダンパ７２のいずれも閉止状態とされる（パターン２）。
【００６８】
しかし、室内温度ｔ３が蓄電池収納室１６内の温度ｔ１以下の場合には、コントローラ５８によって床下切換ダンパ６２は閉止状態とされ、室内切換ダンパ７２は開放状態とされる（パターン３）。これにより、室内７０の空気が室内給気口６８から蓄電池収納室１６内へ流入し、蓄電池収納室１６内の蓄電池収納室内温度ｔ１を下げる。その結果、流入した室内７０の空気と蓄電池４２が熱交換し、蓄電池４２の温度が下げられると共に、熱を奪って暖められた空気は排気口４４から天井裏スペース４６へ排気される。
【００６９】
なお、パターン３において、排気口４４に天井排気ファン６０が設置されている場合には、コントローラ５８によって天井排気ファン６０を作動させて、室内７０の空気を蓄電池収納室１６内へ強制的に流入させるようにしてもよい。
【００７０】
一方、床下温度ｔ２が蓄電池収納室内温度ｔ１より低かった場合には、コントローラ５８によって床下切換ダンパ６２が開放状態とされ、室内切換ダンパ７２が閉止状態とされる（パターン４、５）。これにより、床下給気口５０が開放された状態となり、コントローラ５８によって床下給気ファンモータ５６が駆動回転されて床下給気ファン５４が回転される。床下給気ファン５４が作動すると、床下スペース５２内の空気が蓄電池収納室１６内に強制的に取り込まれて、蓄電池４２の温度を下げる。蓄電池４２から熱を奪った空気は排気口４４から天井裏スペース４６内へ排気される。なお、床下温度ｔ２が蓄電池収納室内温度ｔ１と同じ場合も含めて、この制御を行ってもよい。
【００７１】
また、床下温度ｔ２が蓄電池収納室１６内の蓄電池収納室温度ｔ１よりも低い場合には、室内温度ｔ３と床下温度ｔ２との大小関係は問わない。つまり、室内７０の温度ｔ３が床下温度ｔ２より高くても或いは逆に低くても、床下スペース５２内の空気を給気して蓄電池４２を冷却するという制御を行っている。但し、更に制御を細かくして、パターン５の場合に、床下切換ダンパ６２を閉止して室内切換ダンパ７２を開放させるようにしてもよいし、両方とも開放させるようにしてもよい。
【００７２】
≪１０℃＜ｔ１＜３０℃の場合≫
蓄電池収納室１６内の蓄電池収納室内温度ｔ１が、蓄電池４２の保存に適当とされる１０℃よりも大きく３０℃よりも低い場合（中温域の場合）にも、基本的には図１に示される夏季のモードとされる。
【００７３】
この場合において、床下温度ｔ２が蓄電池収納室内温度ｔ１以上の場合には、室内温度ｔ３の如何に拘わらず、コントローラ５８によって床下切換ダンパ６２が開放状態とされると共に、室内切換ダンパ７２が閉止状態とされる（パターン６、７）。但し、より細かく制御するという意味では、パターン７の場合には、床下スペース５２内の空気を蓄電池収納室１６内へ取り入れても蓄電池４２が直接的に冷却される訳ではないので、コントローラ５８によって床下切換ダンパ６２を閉止状態とし、かつ室内切換ダンパ７２を開放状態にしてもよい。そうすれば、床下スペース５２内の空気より温度が低い室内７０の空気が室内給気口６８から蓄電池収納室１６内へ給気されるので、蓄電池４２が冷却される。
【００７４】
また、床下温度ｔ２が蓄電池収納室内温度ｔ１よりも低い場合にも、室内温度ｔ３の如何に拘わらず、コントローラ５８によって床下切換ダンパ６２が開放状態とされると共に、室内切換ダンパ７２が閉止状態とされる（パターン８、９）。これにより、床下給気口５０から床下スペース５２内の空気が蓄電池収納室１６内へ流入し、蓄電池４２を冷却する。なお、この場合に床下給気ファンモータ５６を駆動回転させて床下給気ファン５４を作動させるようにすればより効果的である。
【００７５】
補足すると、一般には、夏季及び冬季のいずれも床下スペース５２内の床下温度ｔ２は、蓄電池収納室１６内の蓄電池収納室内温度ｔ１よりも低い。このため、夏季等においてパターン６、７のように床下温度ｔ２が蓄電池収納室内温度ｔ１以上となる状況が仮にあったとしても短時間でパターン８、９の方へ移行し、床下温度ｔ２が蓄電池収納室内温度ｔ１よりも低い状況が支配的となる。その意味からすれば、床下温度検出センサ８２は必ずしも必須ではなく、床下温度ｔ２は常時蓄電池収納室内温度ｔ１以下であるという前提にして、床下温度検出センサ８２を省略することも可能である。
【００７６】
≪ｔ１≦３０℃の場合≫
蓄電池収納室１６内の蓄電池収納室内温度ｔ１が１０℃以下であった場合には、基本的には図２に示される冬季のモードとされ、パターン１０〜パターン１３までに区分けされて制御がなされる。
【００７７】
具体的には、蓄電池収納室内温度ｔ１が１０℃以下でかつ床下温度ｔ２が蓄電池収納室内温度ｔ１以上の場合には、蓄電池収納室１６内の温度が低過ぎかつ床下スペース５２内の温度がこれよりも高いということになる。このような場合には、床下スペース５２内の空気を給気して蓄電池収納室１６内の温度を上げるべく、コントローラ５８によって床下切換ダンパ６２が開放状態とされると共に室内切換ダンパ７２が閉止される（パターン１０、１１）。これにより、床下給気口５０から床下スペース５２内の空気が蓄電池収納室１６内へ流入し、蓄電池４２を暖める。なお、この場合に床下給気ファンモータ５６を駆動回転させて床下給気ファン５４を作動させるようにすればより効果的である。また、この床下温度ｔ２が蓄電池収納室１６内の温度ｔ１より高い場合には、室内温度ｔ３と床下温度ｔ２との大小関係は問わない。
【００７８】
一方、床下温度ｔ２が蓄電池収納室内温度ｔ１よりも低い場合には、蓄電池収納室１６内の空気が冷え過ぎている上に床下スペース５２内の温度はこれよりも更に低いということになるので、コントローラ５８によって床下切換ダンパ６２が閉止状態とされる。そして、室内７０の室内温度ｔ３が床下温度ｔ２以上の場合には、室内７０の空気の方が床下スペース５２内の空気よりも（室内暖房等により）暖かいということになるので、これを利用するべく、コントローラ５８により室内切換ダンパ７２が開放状態とされる（パターン１２）。
【００７９】
逆に、室内７０の室内温度ｔ３が床下温度ｔ２より低い場合には、室内７０が暖房されていない等の理由により冷えているので、コントローラ５８によって室内切換ダンパ７２が閉止状態とされる（パターン１３）。
【００８０】
なお、上記の制御における１０℃が本発明における「第１の所定温度」に相当し、３０℃が本発明における「第２の所定温度」に相当する。但し、これらの１０℃、３０℃は一例であり、地域や建物の構造、蓄電池の仕様等によって調整される。また、蓄電池収納室内温度ｔ１が１０℃＜ｔ１＜３０℃の場合が本発明における「中温域の場合」に相当し、蓄電池収納室内温度ｔ１がｔ１≧３０℃の場合が本発明における「高温域の場合」に相当し、蓄電池収納室内温度ｔ１がｔ１≦１０℃の場合が本発明における「低温域の場合」に相当する。
【００８１】
また、上記制御の説明の中で適宜言及したが、表１に示される制御パターンはあくまでも一例であるので、ニーズに応じて適宜変更される。但し、蓄電池収納室１６内の蓄電池収納室内温度ｔ１に基づいて温度制御がなされる。さらに、検出温度が複数ある場合には、蓄電池収納室内温度ｔ１が最優先される。
【００８２】
このように本実施形態では、蓄電池収納室１６の蓄電池収納室内温度ｔ１が中温域にあるのか、低温域にあるのかによって、給気流路が切り替えられるので、夏季や冬季にも蓄電池４２の性能を良好に保つことができる。換言すれば、年間を通じて蓄電池収納室１６内の温度が概ね中温域に納まるように床下切換ダンパ６２及び室内切換ダンパ７２の開閉制御並びに床下給気ファン５４（、天井排気ファン６０）の作動制御を行うようにしたので、年間を通じて蓄電池４２の性能を良好に維持することができる。
【００８３】
また、本実施形態では、床下給気口５０に床下給気ファン５４を設置し、又は排気口４４に天井排気ファン６０を設置し、蓄電池収納室内温度ｔ１が第２の所定温度である３０℃以上になった場合（パターン４、５の場合）には、コントローラ５８によって床下給気ファン５４又は天井排気ファン６０が強制的に作動される。このため、自然換気の場合よりも、蓄電池収納室１６内の急激な温度変化に迅速に対応することができる。
【００８４】
さらに、本実施形態では、室内７０に室内温度検出センサ８０が設置されており、蓄電池収納室内温度ｔ１が第１の所定温度である１０℃以下でかつ室内温度検出センサ８０によって検出された室内温度ｔ３が床下温度ｔ２以上の場合（パターン１２の場合）には、コントローラ５８によって床下切換ダンパ６２が閉止状態とされると共に室内切換ダンパ７２が開放状態とされる。このため、冬季等において室内７０が暖房等により充分に暖められているような場合には、蓄電池収納室内温度ｔ１よりも相対的に温度が高い室内７０の空気を蓄電池収納室１６内に取り込むことにより、蓄電池収納室１６内の空気を暖めて蓄電池４２の性能を維持することができる。すなわち、室内７０の温度も加味して室内切換ダンパ７２の開閉制御がなされる。その結果、蓄電池収納室１６内に収納された蓄電池４２が過度に冷却されるのを防止することができる。
【００８５】
〔第２実施形態〕
次に、図６〜図９を用いて、本発明に係る蓄電池収納室及びこれを備えたユニット建物の第２実施形態について説明する。なお、前述した第1実施形態と同一構成部分については、同一番号を付してその説明を省略する。
【００８６】
図６には、本実施形態に係る蓄電池収納室１６を備えたユニット建物１０の具体的な間取り図が示されている。この図に示されるように、このユニット建物１０では、四隅に柱１００が立設された箱形の建物ユニット２２を合計５個隣接配置して相互に連結することにより一階部分が構成されている。このため、一階部分の屋内空間１４の略中央部には、４本の柱１００が集まった柱集合部１０２が形成されている。この柱集合部１０２に隣接する側方に蓄電池収納室１６が形成されている。蓄電池収納室１６の周囲は仕切り壁１０４と仕切り壁１０４に設けられた扉１０６とで包囲されている。
【００８７】
図７には、上記蓄電池収納室１６内に収容されるラック１０８が仕切り壁１０４との関係で描かれている。また、図８には、当該ラック１０８の概略正面図が示されている。これらの図に示されるように、ラック１０８は、蓄電池収納室１６内に収容可能な縦横寸法及び高さ寸法となっている。ラック１０８には複数段の棚板１１０が形成されており、更に底面の四隅にはキャスタ１１２が取り付けられている。従って、ラック１０８は押し引きにより移動可能である。
【００８８】
図９には、棚板１１０の内部構成材の斜視図が示されている。図７〜図９に示されるように、棚板１１０は矩形枠状の外枠１１４と、この外枠１１４内に配置された複数本の支持部材１１６とによって構成されている。複数本の支持部材１１６は、所定ピッチで並べられてスノコ状に配列されている。このため、棚板１１０の内部には、スリット状の通気路１１８が形成されている。また、ラック１０８の正面、背面、側面にはこれらを塞ぐものは存在しない。
【００８９】
上記ラック１０８の各棚板１１０には蓄電池４２がそれぞれ載置可能とされている。ラック１０８内に蓄電池４２が収納された状態では、蓄電池４２は直方体の６面すべてが蓄電池収納室１６内の空気に晒されている。なお、棚板１１０に蓄電池４２を載置させる際には、図８図示の如く、ラック高さ方向に千鳥状に載置するのが好ましい。このように蓄電池４２を配置すれば、冷却空気が図８の矢印Ｐのように蛇行する如く流通し、複数段に収納された蓄電池４２の全体を万遍なく冷却することができる。さらに、上記ラック１０８の上部側面には、直流コンセント１２０が配設されている。
【００９０】
一方、図７に示されるように、仕切り壁１０４には、ラック１０８の棚板１１０の高さに合わせて扉１２２が設けられている。この扉１２２は下端部回りに室内７０側へ回動可能とされており、仕切り壁１０４に形成された開口１２４の両側部と扉１２２の両側部とは、蓄電池４２が載っても耐えられるように折り畳み可能な吊り部材１２６で連結されている。また、扉１２２の内側面（蓄電池収納室１６側の面）には、複数のコロ１２８が一部埋設された状態で回転自在に配設されている。
【００９１】
ラック１０８が蓄電池収納室１６内に収容された状態では、ラック１０８の収納物出し入れ方向側の面が仕切り壁１０４に対面するようになっている。
【００９２】
（作用・効果）
上記構成によれば、柱１００が集まった柱集合部１０２の側方のデッドスペースを蓄電池収納室１６として利用したので、強度が高く重量物である蓄電池４２の収納に適している。
【００９３】
また、本実施形態では、蓄電池収納室１６内にラック１０８が収容されたときに、蓄電池４２の取出し方向側に扉１０６を備えた仕切り壁１０４が対面して配置されているので、蓄電池４２の交換等する際には、室内７０側から扉１０６を開けて蓄電池４２を取り出すことができる。このため、蓄電池４２のメンテナンス時の作業性を向上させることができる。
【００９４】
さらに、本実施形態では、蓄電池４２を収納する収納棚がキャスタ１１２付きのラック１０８で構成されているので、柱集合部１０２の側方に位置する蓄電池収納室１６に出し入れするのが容易である。このため、蓄電池４２の収納作業が容易になり、作業労力が軽減される。
【００９５】
〔実施形態の補足説明〕
なお、上述した第１実施形態では、室内７０の空気を蓄電池収納室１６内へ給気する給気路及びその開閉について説明したが、これに限らず、土間と蓄電池収納室１６とを連通する給気路を設定し、土間からの給気もできるようにしてもよい。
【００９６】
この場合、土間と蓄電池収納室１６とを連通する開口が請求項５記載の第３給気口となり、そこに設置されたダンパが第３開閉手段となる。
【００９７】
上記構成によれば、蓄電池収納室１６と土間との間に第３給気口が設けられており、土間も含めて空気の流通が制御される。このため、暖気の取り込み可能な量が増えるので、冬季等に蓄電池を迅速に暖めるといったことが可能になる。その結果、冬季等、蓄電池収納室１６が低温になる場合における蓄電池４２の性能維持に対する確度を高めることができる。なお、蓄電池収納室１６を室内７０とは連通せずに、土間とだけ連通して同様の制御を行うようにしてもよい。
【００９８】
また、上述した各実施形態では、１フロア分の高さに蓄電池収納室１６、１８、２０を設置した例について説明したが、これに限らず、複数階建ての建物の複数階に亘って蓄電池収納室を形成するようにしてもよい。このようにすれば、蓄電池４２の収納量を充分に確保することができる。その結果、蓄電池４２に対する将来の需要が増大しても改装等することなく対応することができる。
【符号の説明】
【００９９】
１０      ユニット建物
１６      蓄電池収納室
１８      蓄電池収納室
２０      蓄電池収納室
２８      天井パネル（天井）
３０      床パネル（床）
４０      間仕切り壁（壁）
４２      蓄電池
４４      排気口
４６      天井裏スペース
５０      床下給気口
５２      床下スペース
５４      床下給気ファン
５８      コントローラ（制御手段）
６２      床下切換ダンパ（第１開閉手段）
６８      室内給気口
７０      室内
７２      室内切換ダンパ（第２開閉手段）
７８      収納室温度検出センサ（収納室温度検出手段）
８０      室内温度検出センサ（室内温度検出手段）
８２      床下温度検出センサ（床下温度検出手段）
１００    柱
１０２    柱集合部
１０４    仕切り壁（壁）
１０８    ラック（収納棚）
１１２    キャスタ
１２２    扉
【図１】
2010163849.tif 000004
【図２】
2010163849.tif 000005
【図３】
2010163849.tif 000006
【図４】
2010163849.tif 000007
【図５】
2010163849.tif 000008
【図６】
2010163849.tif 000009
【図７】
2010163849.tif 000010
【図８】
2010163849.tif 000011
【図９】
2010163849.tif 000012